(57)【要約】【課題】迅速かつ円滑な安定した擦り切り及び正確な計量を可能にする擦り切り型計量容器を提供する。【解決手段】計量容器（１）の余分な内容物を擦り切る擦り切り部を上下開口の擦り切り枠（２）で構成する。また、擦り切り枠（２）は、擦り切り時において前記計量容器（１）の開口端面（１１）に沿って隙間なく載置され、かつ開口の大きさは該計量容器（１）の開口以上であるようにする。更に、把持部となる柄部を、第１柄部（３）と第２柄部（４）によって構成し、第１柄部（３）の外周面と第２柄部（４）の内周面がスライドして両者は互いに長手方向に対し相対移動可能に構成する。なお、スライド移動手段は、第１柄部（３）に設けられたガイド溝（３１）と第２柄部（４）に設けられたガイド片（４１）とする。【選択図】図１
2015049089.tif 000002
【特許請求の範囲】
【請求項１】
把持部としての柄部と、その先端部に設けられた計量容器（１）と、該計量容器から余分な内容物を取り除く擦り切り部（２）とを備えた擦り切り型計量容器であって、
前記擦り切り部（２）は、上下開口の枠構造体であることを特徴とする擦り切り型計量容器。
【請求項２】
前記枠構造体は、擦り切り時において前記計量容器（１）の開口端面（１１）に沿って隙間なく載置され、開口の大きさは該計量容器（１）の開口以上である請求項１記載の擦り切り型計量容器。
【請求項３】
前記枠構造体の先端部はＶ字状にカットされている請求項１又は２記載の擦り切り型計量容器。
【請求項４】
前記柄部は、前記計量容器が取り付けられた第１柄部（３、５）と、前記擦り切り部が取り付けられた第２柄部（４，６）とから成り、該第２柄部（４、６）はガイド片（４１、６１）を備えると共に該第１柄部（３，５）は該ガイド片（４１、６１）が差し込まれるガイド溝（３１、５１）を備える請求項１記載の擦り切り型計量容器。
【請求項５】
前記ガイド溝（３１、５１）は貫通溝であると共に、前記ガイド片（４１、６１）は該ガイド溝（３１、５１）を貫通し前記第１柄部（３、５）の裏面で係合する請求項４記載の擦り切り型計量容器。
【請求項６】
前記第１柄部（３）と前記第２柄部（４）はその外周面とその内周面がスライドして両者は互いに長手方向に対し相対移動可能に構成されている請求項４又は５記載の擦り切り型計量容器。
【請求項７】
前記第１柄部（３）は表面に垂直部材（３２）を備えると共に前記第２柄部（４）は該垂直部材（３２）を挟む挟幅部を有する切欠き部（４２）を備え、該切欠き部（４２）は前記擦り切り部（２）に隣接して設けられている請求項４から６の何れかに記載の擦り切り型計量容器。
【請求項８】
前記第２柄部（６）は表面に垂直部材（６２）を備え前記第１柄部（５）の表面をスライド移動する請求項４又は５記載の擦り切り型計量容器。
【発明の詳細な説明】
【技術分野】
【０００１】
本発明は、擦り切り型計量容器、特に、単体のみで迅速かつ円滑な安定した擦り切り及び正確な計量を可能にする擦り切り型計量容器に関するものである。
【背景技術】
【０００２】
把持部となる柄部と、その先端部に計量部としての計量容器（計量皿、計量カップ）が取り付けられた擦り切り型計量容器または計量スプーンが広く利用されている。この計量スプーンを用いた計量では、先ず計量容器の山盛り程度の内容物を貯蔵容器からすくい取り、そして内容物が計量容器の開口端面と同一高さになるように、計量容器に軽い振動を与え余分な内容物を振るい落とすか、或いは貯蔵容器に備え付けの擦り切り板によって計量容器の開口端面を擦り切って、余分な内容物を貯蔵容器に戻していた。
ところで、計量スプーンだけで内容物をすり切ることが出来るように、擦り切り板がスプーン本体に一体化され、スプーン本体の長手方向に対してスライド自在に移動可能に構成された計量スプーンが知られている。（例えば、特許文献１及び２を参照。）。
上記計量スプーンでは、ユーザが余分な内容物を擦り切った後、計量容器の開口が擦り切り板によって覆われるため、擦り切った内容物が計量容器の開口からこぼれ落ちることがなくなる。
【先行技術文献】
【特許文献】
【０００３】
【特許文献１】実公昭６３−２７８２５号公報
【特許文献２】特開２００３−８３７９２号公報
【発明の開示】
【発明が解決しようとする課題】
【０００４】
上記特許文献１及び２による計量スプーンでは、計量スプーンから内容物を取り出すためには、擦り切り板を柄部に戻して計量容器の開口を開ける必要がある。つまり、擦り切った内容物を取り出すためには、擦り切り板を”押し出して”、”引き戻す”という合計２回スライド移動させる必要があり、擦り切っただけでは、計量スプーンから内容物を取り出すことが出来ない構造となっている。
しかし、擦り切り直後において擦り切り板の裏面は内容物に密に接触しているため、擦り切り板を柄部に引き戻す際、戻す速度が早い場合、擦り切り板裏面との摩擦によって、内容物の一部が計量容器からこぼれ落ちる虞がある。更に、擦り切り板を戻した後も、内容物は開口端面位置丁度で計量容器に充満されているため、ユーザの指先の振動あるいは計量スプーンの姿勢変化等によって内容物の一部が計量容器からこぼれ落ちる虞があり、計量の正確性の観点から更なる改善の余地が必要であると考えられる。
他方、擦り切り板を柄部に引き戻す際、擦り切り板裏面と柄部表面との間に、内容物（粉、微粒）の一部が引き込まれる虞もある。擦り切り板裏面と柄部表面との間に、内容物が入り込むと、入り込んだ内容物によって擦り切り板の円滑なスライド移動が妨げられることになるという問題がある。擦り切り板の円滑なスライド移動が妨げられる場合、過大なスライド抵抗が発生し、そのスライド抵抗によって計量容器に振動・衝撃等が負荷され、内容物の一部が計量容器からこぼれ落ちる虞があり、迅速かつ円滑な安定した擦り切り、引いては計量の正確性及び安定性の観点から更なる改善の余地が必要であると考えられる。
そこで、本発明は、上記従来技術の課題に鑑みなされたものであって、単体のみで迅速かつ円滑な安定した擦り切り及び正確な計量を可能にする擦り切り型計量容器を提供することを目的とする。
【課題を解決するための手段】
【０００５】
上記技術的課題を解決するための本発明のうち、請求項１記載の発明の手段は、把持部としての柄部と、その先端部に設けられた計量容器と、該計量容器から余分な内容物を取り除く擦り切り部とを備えた擦り切り型計量容器であって、
前記擦り切り部は、上下開口の枠構造体であることを特徴とする。
【０００６】
請求項１記載の上記構成では、擦り切り部は上下開口の枠構造体であるため擦り切り部を柄部に引き戻す必要がなく、１回の擦り切り動作で、計量容器を擦り切り部から横にずらすことなく計量容器から内容物を取り出すことが出来るようになる。また、擦り切り時において計量容器の開口端面には枠構造体が隙間なく載置されることになるため、ユーザの指先の振動あるいは計量容器の姿勢変化等によって内容物の一部が計量容器からこぼれ落ちにくくなる。
さらに、ユーザが擦り切り部を柄部に引き戻す際、上下開口の枠構造体であるため、内容物の一部を擦り切り部と柄部の間に引き込むことはなくなり、擦り切り部の迅速かつ円滑な安定したスライド移動を可能にし、その結果、内容物に対する迅速かつ円滑な安定した擦り切りを可能にする。
【０００７】
請求項２記載の発明の手段は、前記枠構造体は、擦り切り時において前記計量容器の開口端面に沿って隙間なく載置され、開口の大きさは該計量容器の開口以上である、ことにある。
【０００８】
上記構成では、擦り切った後に計量容器から内容物を取り出す際、内容物が枠構造体の下面に邪魔されなくなる。これにより、擦り切った内容物を過不足なく正確に取り出すことが出来るようになる。
【０００９】
請求項３記載の発明の手段は、前記枠構造体の先端部はＶ字状にカットされている、ことにある。
【００１０】
上記構成では、擦り切る際、内容物を計量容器の開口に沿って軸対称に均等に均しながら擦り切ることが可能となり、これにより一回の擦り切り動作で、計量容器の開口端面と同一の高さ丁度で擦り切ることが出来るようになる。
【００１１】
請求項４記載の発明の手段は、前記柄部は、前記計量容器が取り付けられた第１柄部と、前記擦り切り部が取り付けられた第２柄部とから成り、該第２柄部はガイド片を備えると共に該第１柄部は該ガイド片が差し込まれるガイド溝を備える、ことにある。
【００１２】
上記構成では、ガイド片がガイド溝に沿ってスライドするスライド機構によって、擦り切り部が第１柄部上をスライド移動することになる。そのため、擦り切り部は第１柄部上を迅速かつ円滑な安定したスライド移動することが出来るようになる。これにより、内容物に対する迅速かつ円滑な安定した擦り切りを可能にする。
【００１３】
請求項５記載の発明の手段は、前記ガイド溝は貫通溝であると共に、前記ガイド片は該ガイド溝を貫通し前記第１柄部の裏面で係合する、ことにある。
【００１４】
上記構成では、ガイド片の垂直方向（上下方向）の長さを十分に確保することが出来るようになり、擦り切り部の迅速かつ円滑に安定したスライド移動を可能にする。
【００１５】
請求項６記載の発明の手段は、第１柄部と第２柄部はその外周面とその内周面がスライドして両者は互いに長手方向に対し相対移動可能に構成されている、ことにある。
【００１６】
上記構成では、前記第１柄部の一部または全部を、前記第２柄部の内部に収納することが出来るようになり、柄部の全長を可変にすることが可能となる。これにより、例えば、内容物を貯蔵容器からすくい取る際に柄部全体を伸ばすことができる一方、非使用時には第１柄部を第２柄部の内部に収納し全体をコンパクト化することができる。
【００１７】
請求項７記載の発明の手段は、前記第１柄部は表面に垂直部材を備えると共に前記第２柄部は該垂直部材を挟む挟幅部を有する切欠き部を備え、該切欠き部は前記擦り切り部に隣接して設けられている、ことにある。
【００１８】
上記構成では、第１柄部または第２柄部が長手方向に沿ってスライド移動する際、垂直部材が両者の移動を規制する制止部材として機能する一方、狭幅部は柄部の最大全長（両者の最大相対変位）を保持するロック部材として機能するようになる。
【００１９】
請求項８記載の発明の手段は、前記第２柄部は表面に垂直部材を備え前記第１柄部の表面をスライド移動する、ことにある。
【００２０】
上記構成では、内容物を擦り切る際、第１柄部を把持した状態で、垂直部材を計量容器の側へ押し出すことになるため、感覚的に使い易くなり操作性が向上する。
【発明の効果】
【００２１】
本発明の擦り切り型計量容器によれば、擦り切り部は上記特徴を備えた上下開口の枠構造体であるため、１回の擦り切り動作で、単体のみで迅速かつ円滑な安定した擦り切り、引いては正確な計量を可能にすると共に、計量した内容物は擦り切り部の枠構造体によって周囲を覆われることになるため、ユーザの指先の振動あるいは計量容器の姿勢変化等によって内容物の一部が計量容器からこぼれ落ちにくくなる。
また、第１柄部と第２柄部がその外周面とその内周面がスライドして両者が互いに長手方向に対し相対移動可能に構成されている場合は、柄部の全長を可変にすることが可能となり、内容物を貯蔵容器からすくい取る際には柄部全体を伸ばすことが出来る一方、非使用時には全体をコンパクト化することが出来るようになり、利便性が向上する。
また、第１柄部と第２柄部がその外周面同士がスライドして第２柄部のみ第１柄部上をスライド移動可能に構成されている場合は、ユーザは第２柄部の垂直部材を計量容器の側へ押し出し、第１柄部上をスライド移動させることによって内容物を擦り切りことになるため、感覚的に使い易くなり操作性が向上する。
【図面の簡単な説明】
【００２２】
【図１】本発明の擦り切り型計量容器を示す斜視説明図である。
【図２】本発明の擦り切り型計量容器の各構成の各要部を示す説明図である。
【図３】本発明の擦り切り型計量容器を使用しての計量の一例を示す説明図である。
【図４】本発明の擦り切り型計量容器の他の例を示す斜視説明図である。
【図５】本発明の擦り切り型計量容器の他の例の各構成の各要部を示す説明図である。
【図６】本発明の擦り切り型計量容器の他の例を使用しての計量の一例を示す説明図である。
【発明を実施するための形態】
【００２３】
以下、図に示す実施の形態により本発明をさらに詳細に説明する。
【００２４】
図１は、本発明の擦り切り型計量容器１００を示す斜視説明図である。
この擦り切り型計量容器１００は、すくい取った内容物を単体のみで迅速かつ円滑に安定して擦り切ることが出来るように構成されていると共に、擦り切った後も、手先の振動あるいは計量容器１の姿勢変化等によって内容物が開口端面１１からこぼれ落ちにくくなるように構成されている。
【００２５】
従って、本擦り切り型計量容器１００は、一定量の内容物を”擦り切り一杯で”計量する計量容器１と、内容物を計量容器１の開口端面１１と同一高さ丁度ですり切る擦り切り枠２と、先端部に計量容器１が取り付けられると共に第２柄部４に対してスライドしながら相対移動する第１柄部３と、先端部に擦り切り枠２が取り付けられると共に第１柄部３に対してスライドしながら相対移動する第２柄部４とを具備して構成される。なお、詳細については図３を参照しながら後述するが、本擦り切り型計量容器１００では、第２柄部４が把持部（持ち手）として且つ第１柄部３の垂直部材３２が操作部（ハンドル）としてそれぞれ機能し、ユーザが垂直部材３２を後方へ引くことにより計量容器１が擦り切り枠２に向かってスライド移動するように構成されている。以下、各構成について更に説明する。
【００２６】
計量容器１は、開口端面が平坦であり内容積が既知の一定量であれば良く、例えば半四角錐状または半四角柱状の角形容器、あるいは半球形または半楕円球形状の丸形容器である。
【００２７】
擦り切り枠２は、上下開口の枠構造体を成している。開口の大きさについては、計量容器１の開口と同一であることが好ましいが、計量容器１の開口より広く且つ計量容器１の開口端面１１との間に隙間が生じなければ良い。また、その正面は、内容物を均等に均しながら擦り切ることが出来るように、Ｖカット面２１を成している。このように、擦り切り枠２が上記枠構造体を成しているため、すくい取った内容物を単体のみで迅速かつ円滑に安定して擦り切ることが出来ると共に、１回の擦り切り動作で、計量容器１を擦り切り枠２から横にずらすことなく計量容器１から内容物を取り出すことが出来るようになる。また、擦り切った後も、計量容器１の開口端面１１には擦り切り枠２が隙間なく載置されることになるため、ユーザの指先の振動あるいは計量容器１の姿勢変化等によって内容物の一部が計量容器からこぼれ落ちにくくなる。
【００２８】
柄部は第１柄部３と第２柄部４から成りスライド伸縮機構を構成している。第１柄部３は長軸平板構造であり、第２柄部はいわゆる箱形構造を成している。
【００２９】
第１柄部３には、擦り切り枠２を安定に相対移動させるガイド溝３１が並列に２個設けられている。また、計量容器１をスライド移動させる操作部または制止部材としての垂直部材３２が表面に設けられている。
【００３０】
他方、第２柄部４には、ガイド溝３１に差し込まれるガイド片４１（図２）が裏面に並列に２個設けられている。また、第１柄部３の垂直部材３２が移動する切欠き部４２が垂直部材３２を挟む形態で擦り切り枠２に隣接して設けられている。
【００３１】
図２は、上記擦り切り型計量容器１００の各構成の各要部を示す説明図である。なお、図２（ａ）は上面図であり、図２（ｂ）は同（ａ）のＡ−Ａ断面図であり、図２（ｃ）は同（ａ）のＢ−Ｂ断面図を９０°時計方向に回転したものである。
図２（ａ）に示すように、第１柄部３の垂直部材３２は、操作部として機能する他に、第２柄部４に対し相対移動する際の最大変位または最小変位を規定する制止部材（ストッパ）としても機能する。すなわち、最大変位時において垂直部材３２は擦り切り枠２の後面に当接し移動を阻まれ、最小変位時においては切欠き部４２の後部に当接し移動を阻まれる。また、切欠き部４２の先端近傍の内周面には内側に突出した突部４３が両側にそれぞれ形成され、切欠き部４２の狭幅部（スロート部）を成し、垂直部材３２が擦り切り枠２の後面に当接する時、すなわち第１柄部３と第２柄部４が最大相対変位して全長が最大になる時の状態を好適に保持する。
【００３２】
図２（ｂ）に示すように、第１柄部３は長軸平板構造を、第２柄部４は箱形構造をそれぞれ成している。第２柄部４は第１柄部３の上に積層され、両者はガイド片４１とガイド溝３１によって長手方向に互いにスライドしながら相対移動する。すなわち、第１柄部３は第２柄部４の内周面に沿ってスライドしながら相対移動する一方、第２柄部４は第１柄部３の外周面に沿ってスライドしながら相対移動する。
【００３３】
図２（ｃ）に示すように、ガイド溝３１は貫通溝である。これにより、ガイド片４１の長さを長手方向および垂直方向の双方にわたって長く確保することが可能となり、第１柄部３または第２柄部４を迅速かつ円滑にスライド移動させることが出来るようになる。
【００３４】
図３は、本発明の擦り切り型計量容器１００を使用しての計量の一例を示す説明図である。
まず、図３（ａ）に示すように、垂直部材３２を左方向へスライド移動させて第１柄部３と第２柄部４との全長が最大になるようにする。次に、計量容器１山盛り分の内容物を貯蔵容器（図示せず）からすくい取る。
【００３５】
次に、図３（ｂ）に示すように、垂直部材３２を右方向へスライド移動させて計量容器１を擦り切り枠２によって擦り切る。
【００３６】
図３（ｃ）に示すように、垂直部材３２を更に右方向へスライド移動させ、切欠き部４２の後部に当接させて計量容器１に対する擦り切りを完了する。
【００３７】
図３（ｄ）に示すように、計量容器１を反転させて擦り切った内容物を取り出す。なお、本実施例では、第２柄部４が把持部かつ垂直部材３２が操作部とした場合の計量の一例を説明したが、第１柄部３を把持部かつ第２柄部４を操作部として計量することも可能である。
【００３８】
図４は、本発明の擦り切り型計量容器の他の例を示す斜視説明図である。
この擦り切り型計量容器２００は、上記擦り切り型計量容器１００に比べ柄部の構造が異なる。すなわち、上記擦り切り型計量容器１００では、第１柄部３は長軸平板構造を、第２柄部４は箱形構造をそれぞれ成し、第１柄部３と第２柄部４はその外周面とその内周面がスライドして両者は互いに長手方向に対し相対移動し、柄部は全長を可変にする伸縮機構を成している。これに対し、本擦り切り型計量容器２００では、第２柄部６のみが第１柄部５上をスライド移動し、柄部は全長を可変にする伸縮機構を成していない。しかし、詳細については図６を参照しながら後述するが、垂直部材６２は第２柄部６上に設けられ、内容物を擦り切るためには、擦り切り枠２を計量容器１に向けて押出しながらスライド移動させることになるため、感覚的に（人間工学上）操作し易いという利点を有している。以下、各構成について、説明する。
【００３９】
図５は、本発明の擦り切り型計量容器２００の各構成の各要部を示す説明図である。なお、図５（ａ）は上面図であり、図５（ｂ）は同（ａ）のＡ−Ａ断面図であり、図５（ｃ）は同（ａ）のＢ−Ｂ断面図を９０°時計方向に回転したものである。
図５（ａ）（ｂ）に示すように、第２柄部６は第１柄部５の上に積層され、擦り切り枠２及び第２柄部６はガイド溝５１に沿って長手方向に第１柄部５上をスライド移動する。従って、第２柄部６の垂直部材６２は、操作部（ハンドル）として機能する。また、垂直部材６２に対する制止（ストップ）は、ガイド溝５１の端部にガイド片６１が当接すること、あるいは第１柄部５の段差部５２に第２柄部６が当接することによって行われる。
【００４０】
図５（ｃ）に示すように、ガイド溝５１とガイド片６１の各構造はガイド溝３１及びガイド片４１と同じである。従って、ガイド溝５１とガイド片６１によって、第２柄部６は迅速かつ円滑に第１柄部５上をスライド移動することが出来るようになる。
【００４１】
図６は、本発明の擦り切り型計量容器２００を使用しての計量の一例を示す説明図である。
まず、図６（ａ）に示すように、垂直部材６２を右方向へスライド移動させて第２柄部６の後部を第１柄部５の段差部５２に当接させる。次に、計量容器１山盛り分の内容物を貯蔵容器（図示せず）からすくい取る。
【００４２】
次に、図６（ｂ）に示すように、垂直部材６２を左方向へ押し出し第１柄部５上をスライド移動させながら計量容器１を擦り切り枠２によって擦り切る。
【００４３】
図６（ｃ）に示すように、垂直部材６２を更に左方向へ押し出しながらスライド移動させ、ガイド片６１をガイド溝５１（図示せず）に当接させて計量容器１に対する擦り切りを完了する。
【００４４】
図６（ｄ）に示すように、計量容器１を反転させて擦り切った内容物を取り出す。
【００４５】
以上の通り、本発明の擦り切り型計量容器１００，２００によれば、擦り切り枠２は上記特徴を備えた上下開口の枠構造体であるため、１回の擦り切り動作で、単体のみで迅速かつ円滑な安定した擦り切り、引いては正確な計量を可能にすると共に、計量した内容物は擦り切り枠２の枠構造体によって周囲を覆われることになるため、ユーザの指先の振動あるいは計量容器１の姿勢変化等によって内容物の一部が計量容器１からこぼれ落ちにくくなる。
また、上記擦り切り型計量容器１００のように、第１柄部３と第２柄部４がその外周面とその内周面がスライドして両者が互いに長手方向に対し相対移動可能に構成されている場合は、柄部の全長を可変にすることが可能となり、内容物を貯蔵容器からすくい取る際には柄部全体を伸ばすことが出来る一方、非使用時には全体をコンパクト化することが出来るようになり、利便性が向上する。
また、上記擦り切り型計量容器２００のように、第２柄部６のみが第１柄部５上をスライド移動可能に構成されている場合は、ユーザは第２柄部６の垂直部材６２を計量容器１の側へ押し出し、第１柄部５上をスライド移動させることによって内容物を擦り切りことになるため、感覚的に使い易くなり操作性が向上する。
【産業上の利用可能性】
【００４６】
本発明の擦り切り型計量容器は、粉末、微粒状内容物の精密計量に対し好適に適用される。
【符号の説明】
【００４７】
１              計量容器
１１            開口端面
２              擦り切り枠
２１            Ｖカット面
３、５          第１柄部
３１、５１      ガイド溝
３２、６２      垂直部材
４、６          第２柄部
４１、６１      ガイド片
４２            切欠き部
４３            突部
５２            段差部
１００、２００  擦り切り型計量容器
【図１】
2015049089.tif 000003
【図２】
2015049089.tif 000004
【図３】
2015049089.tif 000005
【図４】
2015049089.tif 000006
【図５】
2015049089.tif 000007
【図６】
2015049089.tif 000008